(57)【特許請求の範囲】
【請求項１】
連続撮影により得られた画像を一時的に記憶する記憶手段と、
前記記憶手段から読み出された画像を記録媒体に書き込む書き込み手段とを有し、
前記記憶手段の残容量に応じて連続撮影を停止し、前記記憶手段の残容量に応じて連続撮影を停止した場合は撮影を指示する指示手段を一度オフにしなければ次の連続撮影を行えないようすることを特徴とする撮影装置。
【請求項２】
前記記憶手段の残容量が所定値よりも小さくなった場合に前記連続撮影を停止することを特徴とする請求項１に記載の撮影装置。
【請求項３】
前記連続撮影は、前記指示手段がオンにされている間に行われることを特徴とする請求項１又は２に記載の撮影装置。
【請求項４】
前記記録媒体は、ハード・ディスク装置であることを特徴とする請求項１から３の何れか１項に記載の撮影装置。
【請求項５】
前記記録媒体は、メモリ・カード等の固体メモリ装置であることを特徴とする請求項１から３の何れか１項に記載の撮影装置。
【請求項６】
第１の速度で連続撮影を行う第１の連続撮影モードと、前記第１の速度よりも低速な第２の速度で連続撮影を行う第２の連続撮影モードとを有する撮影装置であって、
前記第１の連続撮影モード又は前記第２の連続撮影モードによる連続撮影により得られた画像を一時的に記憶する記憶手段と、
前記記憶手段から読み出された画像を記録媒体に書き込む書き込み手段とを有し、
前記記憶手段の残容量に応じて前記第１の連続撮影モード又は前記第２の連続撮影モードによる連続撮影を停止し、前記記憶手段の残容量に応じて前記第１の連続撮影モード又は前記第２の連続撮影モードによる連続撮影を停止した場合は撮影を指示する指示手段を一度オフにしなければ次の連続撮影を行えないようすることを特徴とする撮影装置。
【請求項７】
前記第１の連続撮影モード又は前記第２の連続撮影モードによる連続撮影は、撮影を指示する指示手段がオンにされている間に行われることを特徴とする請求項６に記載の撮影装置。
【請求項８】
前記第１の連続撮影モードによる連続撮影を行う場合は前記記憶手段の残容量が第１の所定値よりも小さくなった場合に前記第１の連続撮影モードによる連続撮影を停止し、前記第２の連続撮影モードによる連続撮影を行う場合は前記記憶手段の残容量が第２の所定値よりも小さくなった場合に前記第２の連続撮影モードによる連続撮影を停止することを特徴とする請求項６又は７に記載の撮影装置。
【請求項９】
前記第１の所定値は、前記第２の所定値よりも大きいことを特徴とする請求項８に記載の撮影装置。
【請求項１０】
前記記録媒体は、ハード・ディスク装置であることを特徴とする請求項６から９の何れか１項に記載の撮影装置。
【請求項１１】
前記記録媒体は、メモリ・カード等の固体メモリ装置であることを特徴とする請求項６から９の何れか１項に記載の撮影装置。
【発明の詳細な説明】
【０００１】
【産業上の利用分野】
本発明は、連続撮影が可能な撮影装置に関する。
【０００２】
【従来の技術】
固体撮像素子により被写体像を電気信号に変換し、記録媒体に記録する電子スチル・カメラは、周知である。撮影画像情報の記録媒体には、当初、小型フレキシブル磁気ディスクが提案されたが、その後、半導体メモリの大容量化により半導体メモリを使用する装置も提案された。また、近年、小型（２インチ以下）のハード・ディスク装置が実用化され、軽量でもあることから、電子スチル・カメラの記録媒体として注目されている。
【０００３】
電子スチル・カメラは、従来の、銀塩フィルムを記録媒体とするスチル・カメラと同様に、１回のレリーズ操作で単一の被写体像を撮影する単写モードと、レリーズ・ボタンを押し続けることにより所定時間間隔で連続的に被写体像を撮影する連写モードとを具備する。
【０００４】
１画面の記録情報量が比較的膨大になることから、最終的な記録媒体であるフレキシブル磁気ディスク、固体メモリ装置又はハード・ディスク装置への転送速度（書き込み速度）は、撮像素子及びその出力を記録処理する回路の処理速度に比べて遅い。その転送速度を実質的に高速化する手段として、中間に複数枚の撮影画像情報を一時記憶できるバッファ・メモリを設け、連写モードの撮影画像情報をバッファリングする構成が提案されている。
【０００５】
【発明が解決しようとする課題】
ところが、電子スチル・カメラは、従来の銀塩フィルム・カメラに代わるものとして、手軽に持ち運びできるものでなければならず、上記バッファ・メモリに多くの容積を割き、カメラを大きくしてしまうことはできない。半導体メモリの集積度が向上して大容量の半導体メモリ素子を入手できるようになったとはいえ、多量に使用すればコストの上昇を招く。
【０００６】
したがってバッファ・メモリの容量を小さくせざるを得ないがバッファ・メモリの容量が充分でない場合には連続記録中にバッファ・メモリの残り記録容量が不足し、記録が不能となってしまい使い勝手が低下するという問題が生じる。
【０００７】
本発明は、このような問題点に鑑み、使い勝手を向上させた撮影装置を提供することを目的とする。
【０００８】
【課題を解決するための手段】
本発明に係る撮影装置は、連続撮影により得られた画像を一時的に記憶する記憶手段と、前記記憶手段から読み出された画像を記録媒体に書き込む書き込み手段とを有し、前記記憶手段の残容量に応じて連続撮影を停止し、前記記憶手段の残容量に応じて連続撮影を停止した場合は撮影を指示する指示手段を一度オフにしなければ次の連続撮影を行えないようすることを特徴とする。
本発明に係る他の撮影装置は、第１の速度で連続撮影を行う第１の連続撮影モードと、前記第１の速度よりも低速な第２の速度で連続撮影を行う第２の連続撮影モードとを有する撮影装置であって、前記第１の連続撮影モード又は前記第２の連続撮影モードによる連続撮影により得られた画像を一時的に記憶する記憶手段と、前記記憶手段から読み出された画像を記録媒体に書き込む書き込み手段とを有し、前記記憶手段の残容量に応じて前記第１の連続撮影モード又は前記第２の連続撮影モードによる連続撮影を停止し、前記記憶手段の残容量に応じて前記第１の連続撮影モード又は前記第２の連続撮影モードによる連続撮影を停止した場合は撮影を指示する指示手段を一度オフにしなければ次の連続撮影を行えないようすることを特徴とする。
【００１０】
【実施例】
以下、図面を参照して本発明の実施例を説明する。
【００１１】
図１は、本発明の一実施例の概略構成ブロック図を示す。１０は撮影レンズ、１２は絞り及びシャッタなどの光量制御部材、１４は光学像を電気信号に変換する撮像素子、１６は撮像素子１４の出力をサンプル・ホールドするサンプル・ホールド（Ｓ／Ｈ）回路、１８はＳ／Ｈ回路１６の出力をディジタル信号に変換するＡ／Ｄ変換回路、２０はＡ／Ｄ変換回路１８の出力に圧縮、変調などの記録処理を施す記録処理回路である。
【００１２】
２２は記録処理回路２０の出力を画面単位で記憶するバッファ・メモリであり、例えば半導体メモリ２４はバッファ・メモリ２２の書き込み及び読み出しを制御するメモリ制御回路である。なお、本実施例では、理解を容易にするため、記録処理回路２０は、１画面当たりの圧縮後のデータ量が一定になる固定長符号化により撮影画像を圧縮するものとし、バッファ・メモリ２２は８バンクあり、全体で最大８画面分の圧縮画像情報を記憶できるものとしている。
【００１３】
２６は最終的な記録媒体である例えばハード・ディスク装置、２８はバッファ・メモリ２２からメモリ制御回路２４により読み出された撮影画像情報をハード・ディスク装置２６に書き込むためのインターフェース回路である。ハード・ディスク装置以外にも、フレキシブル磁気ディスクの駆動装置、光ディスク駆動装置、光磁気ディスク駆動装置、及びＥＥＰＲＯＭやバッテリバックアップされたＤＲＡＭなどからなる固体メモリ装置であってもよい。固体メモリ装置としては、カード状にされたメモリ・カードが知られている。
【００１４】
尚、本実施例におけるバッファ・メモリ２２への書き込み速度はハード・ディスク装置２６への書き込み速度よりも遅い。したがってバッファ・メモリ２２は複数画面８画面分の容量を有する。又最終的な記録媒体としては一時記憶手段の書き込み速度よりも書き込み速度の遅い媒体であれば本発明は有効である。
【００１５】
又、記録媒体として一時記憶手段よりも書き込み速度が遅くない場合であっても途中の処理回路、例えば情報量の圧縮回路の処理速度が一時記憶手段の書き込み速度より遅ければやっぱり本発明は有効である。
【００１６】
３０は全体を制御するシステム制御回路である。システム制御回路３０はマイクロコンピュータからなり、動作プログラムの変更により、機能を拡張変更することができる。３１はシステム制御回路３０の動作に必要な諸定数（後述する閾値Ｖ1、Ｖ2、Ｖ3など）を記憶するメモリである。
【００１７】
３２はシステム制御回路３０の制御下で、撮像素子１４、Ｓ／Ｈ回路１６及びＡ／Ｄ変換回路１８に、それぞれ駆動に必要なクロック・パルスを供給するパルス発生回路である。
【００１８】
３４は撮影スタンバイ（測光、測色、合焦制御など）をシステム制御回路３０に指示する撮影スタンバイ・スイッチ、３６は撮影（撮像素子１４を露光し、その電荷信号を読み出してハード・ディスク装置に記録する。）をシステム制御回路３０に指示する撮影スイッチである。撮影スタンバイ・スイッチ３４及び撮影スイッチ３６は、所謂レリーズ・ボタンに組み込まれており、当該レリーズ・ボタンを中段まで押し込むと、撮影スタンバイ・スイッチ３４がオンになり、最後まで押し込むと撮影スイッチ３６がオンになるようになっている。
【００１９】
また、３８は例えば単写モードや連写モードかなどの各種の動作モードを設定し、種々の指示をシステム制御回路３０に入力するための操作装置である。操作装置３８は、所定数の操作ボタン又は操作スイッチを具備する。
【００２０】
図１における画像情報の流れを簡単に説明する。撮影レンズ１０による光学像は光量制御部材１２により撮像素子１４の撮像面（光電変換面）に入射する。撮像素子１４は光学像を電気信号に変換する。撮像素子１４の出力はＳ／Ｈ回路１６によりサンプル・ホールドされ、Ａ／Ｄ変換回路１８によりディジタル信号に変換される。記録処理回路２０は、Ａ／Ｄ変換器１８から出力されるディジタル画像信号に、ホワイト・バランス調整、圧縮処理及び変調などの記録処理を施し、その出力はメモリ制御回路２４の制御下で、バッファ・メモリ２２の８個のバンクＭ０〜Ｍ７の内の、空いたバンクに順次書き込まれる。
【００２１】
メモリ制御回路２４は、バッファ・メモリ２２に書き込まれたデータをハード・ディスク装置２６の書き込み速度に応じて順番に読み出し、インターフェース回路２８を介してハード・ディスク装置２６に供給する。ハード・ディスク装置２６は、インターフェース回路２８からのデータを順次、記憶していく。このようにして、撮影画像の圧縮データがハード・ディスク装置２６に記録される。
【００２２】
図２は、図１の動作フローチャートを示す。図２を参照して、本実施例の動作を説明する。なお、まず操作装置３８により、連写モードが設定されている場合の動作について説明する。連写モードでは、通常、撮影スイッチ３６をオン状態に保持している間、連続撮影状態、即ち、一定時間間隔毎に被写体を撮影し記録する動作状態になる。
【００２３】
先ず、撮影スタンバイ・スイッチ３４がオンになると（Ｓ１）、露出制御、ホワイトバランス調整、焦点調節などの撮影スタンバイ動作を実行する（Ｓ２）。その後、撮影スイッチ３６がオンにならずに（Ｓ３）、撮影スタンバイ・スイッチ３４がオフになれば（Ｓ４）、再度、撮影スタンバイ・スイッチ３４がオンになるのを待つ（Ｓ１）。撮影スイッチ３６がオンにならなくても（Ｓ３）、撮影スタンバイ・スイッチ３４がオンの間は、撮影スイッチ３６がオンになるのを待つ（Ｓ４）。
【００２４】
撮影スイッチ３６がオンになると（Ｓ３）、操作装置３８において連続記録モードが設定されている場合、システム制御回路３０は、メモリ制御回路２４を介して、バッファ・メモリ２２の残容量が所定の閾値Ｖ1以上であるか否かを調べる（Ｓ５）。閾値Ｖ1はメモリ３１に予め記憶されている。Ｖ1以上であれば（Ｓ５）、撮影する（Ｓ６）。即ち、撮像素子１４を露光し、その電荷信号を読み出し、回路１６、１８、２０、２４を介してバッファ・メモリ２２に書き込む。このようにバッファ・メモリ２２に書き込まれたデータは、上述したように、ハード・ディスク装置２６に同期して読み出され、インターフェース回路２８を介してハード・ディスク装置２６に印加され、書き込まれる。
【００２５】
なお、操作装置３８により連続記録モードが設定されていない場合には、バッファ・メモリ２２に１画面分の空き容量さえあれば、記録を可能とする。
【００２６】
撮影（Ｓ６）の後、バッファ・メモリ２２の残容量を調べ（Ｓ７）、これが第２の閾値Ｖ2に等しいか否かを判別する。なお、閾値Ｖ2は閾値Ｖ1より小さく、１枚若しくは数枚分に相当する記憶容量値である。
【００２７】
メモリ２２の残容量が第２の閾値Ｖ2に等しくなければ（Ｓ７）、Ｓ５を実行することなく撮影スイッチ３６がオンの間（Ｓ１０）、撮影（Ｓ６）及びメモリ２２の残容量のチェック（Ｓ７）を繰り返す。即ち、連続撮影を行なう。その間に、撮影スイッチ３６がオフになれば（Ｓ１０）、再び撮影スイッチ３６及び撮影スタンバイ・スイッチ３４を調べ（Ｓ３、Ｓ４）、撮影スタンバイ・スイッチ３４がオフになれば（Ｓ４）、Ｓ１に戻る。
【００２８】
メモリ２２の残容量が閾値Ｖ2に等しければ（Ｓ７）、連写を止めて単写モードと同様に動作する。即ち、撮影スイッチ３６がオフになるのを待ち（Ｓ８）、撮影スイッチ３６がオフになった後、撮影スタンバイ・スイッチ３４がオンのままであれば（Ｓ９）、再び撮影スイッチ３６がオンになるのを待ち（Ｓ３）、撮影スタンバイ・スイッチ３４がオフであれば（Ｓ９）、再び撮影スタンバイ・スイッチ３４がオンになるのを待つ（Ｓ１）。
【００２９】
メモリ２２の残容量が閾値Ｖ1未満である場合（Ｓ５）、残容量がゼロか否かを調べる（Ｓ１１）。残容量がゼロの場合、撮影スタンバイ・スイッチ３４がオンならば（Ｓ１３）、撮影スイッチ３６がオンになるのを待ち（Ｓ３）、撮影スタンバイ・スイッチ３４がオフならば（Ｓ１３）、撮影スタンバイ・スイッチ３４がオンになるのを待つ（Ｓ１）。残容量がゼロでなければ（Ｓ１１）、１回の撮影を行ない（Ｓ１２）、撮影スイッチ３６のオフを待つ（Ｓ８）。
【００３０】
上記説明から分かるように、閾値Ｖ1は、連写記録の開始時において連写が可能な残り枚数に相当するメモリ容量、閾値Ｖ2は、連写を中止する残り枚数に相当するメモリ容量である。これらの閾値Ｖ1、Ｖ2はメモリ３１に固定的に記憶されていてもよいし、又は操作装置３８の操作により変更可能に記憶されていてもよい。使用上は、後者が便利である。
【００３１】
バッファ・メモリ２２の残容量がＶ1以上であれば、連写が許可され、連写中にメモリ２２の残容量が閾値Ｖ2に等しくなったところで、連写を中止する。バッファ・メモリ２２の残容量がＶ2以下でも単写は可能であり、その間にバッファ・メモリ２２からハード・ディスク装置２６への転送が進み、バッファ・メモリ２２の残容量が閾値Ｖ1以上になれば、再び、連写が可能になる。連写モードの撮影開始時にバッファ・メモリ２２の残容量がＶ1未満でも、それがゼロでない限り、単写が可能である。
【００３２】
このようにして、連写できる実質的枚数は、バッファ・メモリ２２の書き込み速度とハード・ディスク装置２６の書き込み速度との差、及び閾値Ｖ1により決定される。連写が不可能になっても、単独撮影を行なえるので、シャッタ・チャンスをみすみす見逃すことはなくなる。
【００３３】
図１に示す実施例の変更動作のフローチャートを図３に示す。図２と同じステップには同じ符号を付してあり、具体的にはＳ６とＳ７の間に、Ｓ２０〜Ｓ２３が挿入されている。この変更例では、連写の最大枚数Ｋを予め決めておく、Ｋは操作装置３８により変更自在であり、メモリ３１に記憶される。Ｋ枚連写する前に、メモリ２２の残容量がＶ2になれば連写を中止する。Ｋ枚連写した後では、一旦撮影スイッチ３６のオフを待つことにより、連写の中止を使用者に強制する。
【００３４】
以下、図３を具体的に説明する。最初の撮影（Ｓ６）迄は、図２と同じである。最初の撮影後、連写枚数が設定値Ｋに到達したか否かを調べ（Ｓ２０）、設定値Ｋまでになっていなければ、バッファ・メモリ２２の残容量が閾値Ｖ2に等しいか否かを調べる（Ｓ２１）。Ｖ2に等しい場合、連写を中止し、撮影スイッチ３６のオフを待つ（Ｓ８）。Ｖ2に等しくない場合（Ｓ２１）、撮影スイッチ３６がオンの間、撮影を繰り返し（Ｓ２２、Ｓ６、Ｓ２０、Ｓ２１）、撮影スイッチ３６がオフになれば（Ｓ２２）、再び、撮影スイッチ３６がオンになるのを待つ（Ｓ３）。
【００３５】
連写枚数が設定値Ｋに等しくなれば（Ｓ２０）、撮影スイッチ３６がオフになるのを待ち、メモリ２２の残容量が閾値Ｖ2に等しいか否かを調べる（Ｓ７）。Ｓ７以降は図２と同じである。
【００３６】
この実施例で設定している連写枚数の上限値Ｋを、通常の連写の際の撮影枚数をカバーする程度にすることにより、不必要に長い時間、連写してしまうのを防止できる。一旦、連写を中止した後、再び連写を開始する間にも、メモリ２２に記憶されるデータはハード・ディスク装置２６に転送されているので、次回の連写開始時には、メモリ２２の残容量が増す。メモリ２２の残容量がＶ1以上になっていれば、連写できる。
【００３７】
以上の説明から容易に理解できるように、本実施例によれば、一時記憶手段に所定量の空きを残して連続記録を中止するので、当該一時記憶手段から最終記録媒体に画像情報を転送する間にも、画像情報を当該一時記憶手段に取り込むことができる。即ち、スチル・カメラの場合には、単写が可能であり、シャッタ・チャンスをみすみす見逃すことがなくなる。
【００３８】
図４、図５は図１に示す実施例の更に別の変更動作のフローチャートである。かかるフローチャートを実行するに際して本実施例においては複数の連写速度を選択可能であり、かかる連写速度を切り換える手段を操作部３８備えている。以下動作について説明する。
【００３９】
次に連写速度によって前述の所定量を変える実施例について図４を用いて説明する。図４において撮影スイッチ３６がオンになると（Ｓ３）、操作装置３８において予め連続記録モードが設定されている場合、システム制御回路３０は、メモリ制御回路２４を介してバッファ・メモリ２２の残容量が所定量Ｖ1 以上であるか否かを調べる（Ｓ５）。所定量Ｖ1 はメモリ３１に予め記憶されているメモリ残容量が所定量Ｖ1 以上であれば連続記録モードが高速連写モードになっているか調べる（Ｓ６）。高速連写モードになっていれば撮影をし（Ｓ７）所定時間ｔ1 待ち（Ｓ８）、メモリの残容量が所定量Ｖ2 以上か調べ（Ｓ９）、所定量Ｖ2 以上であり、撮影スイッチ３６がオンであれば（Ｓ１０）撮影をつづける。すなわち連写を行う連続記録モードが低速連写モードであれば、撮影をし（Ｓ１２）所定時間ｔ2 待ち（Ｓ１３）、メモリの残容量が所定量Ｖ3 以上か調べ（Ｓ１４）、所定量Ｖ3 以上であり、撮影スイッチ３６がオンであれば（Ｓ１５）撮影をつづける。すなわち連写を行う、ここでｔ1 ＜ｔ2 とする。すなわち、所定時間ｔ1 待って撮影をつづける方がｔ2 待つよりも高速な連写が可能になる。
【００４０】
Ｓ９、Ｓ１４においてメモリの残容量がそれぞれ所定量Ｖ2 、所定量Ｖ3 より小さくなったら連写停止の表示をする（Ｓ１１）。撮影スイッチ３６がオフになると（Ｓ１６）、撮影スタンバイ・スイッチ３４がオンならＳ３へ、オフならＳ１へ進む（Ｓ１７）。
【００４１】
Ｓ５においてメモリの残容量が所定量Ｖ1 より小さければ、メモリの残容量が０かどうか調べ（Ｓ１８）、０でなければ撮影をしてＳ１６へ進む。０の時は撮影ができないことを表示して（Ｓ２０）、撮影スイッチ３６がオフになれば（Ｓ２１）Ｓ３へ進む。
【００４２】
上記説明から分かるように、所定量Ｖ1 は連写可能なメモリ残容量、所定量Ｖ2 は高速連写を中止するメモリ残容量、所定量Ｖ3 は低速連写を中止するメモリ残容量である。尚、本実施例においてＶ2 ＞Ｖ3 としている。又、これらの所定量はメモリに固定的に記憶されていてもよいし、操作装置３８の操作により変更可能に記憶されていてもよい。
【００４３】
次にメモリ残容量が所定量になったら高速連写を低速連写に自動的に切り換える例について説明する。図５において、Ｓ１〜Ｓ６は図４と同じであるので説明を省略する。メモリの残容量が所定量Ｖ2 より大きければ図４と同様にして高速連写をする（Ｓ７）、小さければ低速連写モードになる、すなわち低速連写であることを表示し（Ｓ１２）、撮影し（Ｓ１３）、所定時間ｔ2 待ち（Ｓ１４）、メモリの残容量が所定量Ｖ3 より小さくなったら（Ｓ１５）連写停止の表示をする（Ｓ１７）。
【００４４】
ここで所定量Ｖ1 ＞所定量Ｖ2 ＞所定量Ｖ3 である。すなわち高速連写モードで連写中にメモリ残容量が所定量Ｖ2 になったら連写モードを低速連写モードに自動的に切り換えて連写を継続し、メモリ残容量が所定量Ｖ3 になったところで連写を停止する。
【００４５】
図６は本発明の第２実施例の構成を示すブロック図である。図６において４０は後述するモニタにバッファ・メモリ２２に記憶されている画像データを表示するためにメモリ制御回路２４とモニタをつなぐインターフェース、４２は画像を表示するモニタ、４３は後述の圧縮等の処理を行うためのＤＳＰである。
【００４６】
本実施例は１画像の画像圧縮に要する時間が連写間隔よりも長い場合に有効な方法である。本実施例では、記録処理回路２０内では、ホワイトバランス調整、γ補正等、リアルタイムで実行可能な処理のみ行なった後、メモリ制御回路２４によってバッファ・メモリ２２の８個のバンクＭ０〜Ｍ７内の空いたバンクに順次書き込まれる。
【００４７】
１コマ撮影においては撮像し、上記ＷＢ、γ等のリアルタイム処理をし、バッファ２２に書き込まれた後ただちにメモリ制御回路２４によって再び読み出され、ＤＳＰ４３によって、圧縮等処理時間を要する処理を行なう（例えばＪＰＥＧ方式の圧縮等のような圧縮方式を採用した場合、ＤＣＴを行った後の係数列をエントロピー符号化をする前に一旦、バッファ２２内の空領域に保持しておくことにより、エントロピー符号化後のデータ量に応じて圧縮率を変化させる時の処理時間を短縮することができる）。このような構成の画像記録装置の動作のフローチャートを図７に示す。
【００４８】
以下図７を用いて動作の詳細について説明する。
【００４９】
撮影スタンバイ・スイッチ３４がオンならば（Ｓ１）撮影スタンバイをする（Ｓ２）。次にメモリの残容量が０かどうか調べ（Ｓ３）０であれば撮影不能の表示をして（Ｓ４）、撮影スタンバイ・スイッチ３４がオンならばＳ３へ、オフならばＳ１へ進む。メモリ残容量が０でなければ撮影不能表示を消去して（Ｓ６）、撮影スイッチ３６がオンになれば（Ｓ７）メモリ残容量を調べ（Ｓ９）Ｖ1 以上であればＳ１１へ、Ｖ1 より小さければＳ１０へ進む。Ｓ１１へ進んだ場合、撮影スイッチ３６がオンのままであれば撮影をつづけ、バッファ・メモリ２２へデータを格納する。つまり連写を実行する。
【００５０】
Ｓ９からＳ１０へフローが分岐した場合はフローはＳ１０、Ｓ１５以降へすすみ単写になる。又、Ｓ１１へ進み撮影をした時にメモリ残容量がＶ2 より小さくなれば（Ｓ１２）連写停止の表示をする（Ｓ１４）。次に撮影した画像データをＤＳＰ４３により圧縮する際のデータ、例えばＤＣＴ処理の全係数データ、即ち直交変換後のデータを作成し（Ｓ１５）、バッファ・メモリ２２の空き領域、つまり連写停止後の残量分の領域に記憶する（Ｓ１６）。
【００５１】
次いで直交変換後のデータを所定の係数で量子化し、ハフマン符号化し（Ｓ１７）、得られたデータをハード・ディスク２６に記録（Ｓ１８）し、撮影スイッチ３６がオフ、かつバッファ・メモリ２２内のデータが処理されハード・ディスクに記録されるまで（Ｓ１９〜Ｓ２１）、前述のＳ１５〜Ｓ１８を実行する。メモリ２２内のデータを処理した場合にはフローはＳ２１からＳ２２に分岐し、Ｓ１４において表示した連写停止表示を消去し、撮影スタンバイ・スイッチ３４がオンであるか否かを判別し（Ｓ２３）、オンの場合にはＳ３へ、オフの場合にはＳ１へフローは戻る。
【００５２】
次に本発明の更に別の実施例について図８を用いて説明する。図８はかかる実施例の動作の変形例を示したフローチャートである。
【００５３】
本実施例では図７の実施例に撮像して記録した画像をただちに再生しモニタする機能を付加したものであり、所定残量を残した、バッファ内に連写した一連の画像をマルタ画又は、合成画として保持することで連写した画像をモニタしやすくしたものである。
【００５４】
以下本実施例の動作を図８を用いて説明する。図８においてまず撮影スタンバイ・スイッチ３４が、オンであれば（Ｓ１）、撮影スタンバイをしてバッファ・メモリ２２を介すことなく最終撮影画像を直接メモリ制御２４からモニタに表示する（Ｓ６１）。
【００５５】
次にバッファ・メモリ２２の残容量が０かどうか調べ（Ｓ３１）、０であれば撮影不能の表示、警告をする（Ｓ５３）。バッファ・メモリ２２の残容量が０でなければ撮影不能表示を消去して（Ｓ３２）、撮影スイッチ３６がオンになれば（Ｓ３３）、メモリ残容量が所定量Ｖ1 以上かどうか調べる（Ｓ３５）。Ｖ1 より小さければ単写をし（Ｓ５２）、モニタに表示する（Ｓ６７）Ｖ1 以上であれば、撮影をする（Ｓ３６）。
【００５６】
次にメモリ残容量が所定量Ｖ2 になったかどうか調べ（Ｓ７）、Ｖ2 でなく撮影スイッチ３６がオンであれば（Ｓ１０）撮影をつづける。Ｖ2 になったら連写を停止し（Ｓ８）、モニタ表示モードが通常の表示モードであれば（Ｓ６１）、最終撮影画像をバッファ・メモリ２２から再生して表示する（Ｓ６７）。通常表示モードでなければマルチ画モードか合成画モードかを調べ（Ｓ６２）、バッファ・メモリ２２の残り容量Ｖ2 を用いて合成画モードであれば合成画を作成して（Ｓ６３）、モニタに表示する（Ｓ６４）。マルチ画モードであれば前述のバッファ・メモリ２２の残り容量Ｖ2 を用いてマルチ画を作成して（Ｓ６５）モニタに表示する（Ｓ６６）。この表示は撮影スタンバイ・スイッチ３４がオンの間表示され、撮影スタンバイ・スイッチ３４がオフになると表示を全て消去して（Ｓ２４）Ｓ１へ進む。
【００５７】
尚、本実施例における合成画モードとはメモリ２２に記憶している画像のうちの１つと、前記バッファ・メモリ２２を介することのない画像とを合成し、再びバッファ・メモリ２２内の残り容量Ｖ2 に記録するモードである。
【００５８】
又、マルチ画モードとはメモリ２２に記憶している複数の画像をマルチ画にし、バッファ・メモリ２２内の残り容量に記録するモードである。
【００５９】
尚、Ｓ６４、Ｓ６６、Ｓ６７以降においては図７において前述したＳ１５〜Ｓ２３と同じフローを実行する。
【００６０】
以上の実施例に依ればバッファ・メモリの容量を有効に活用して簡単な構成で種々の画像編集が行え、しかも画像記録の機会を逃すことがない。
【００６１】
又画像編集としては上述の例に限らず、他の編集例えば画像の拡大や縮小、斜体等であってもよい。
【００６２】
以上の実施例はクレームの範囲内で種々変更が可能である。
【００６３】
【発明の効果】
本発明によれば、撮影装置の使い勝手を向上させることができる。
【図面の簡単な説明】
【図１】本発明の第１実施例の構成ブロック図である。
【図２】図１の第１の動作フローチャートである。
【図３】図１の第２の動作フローチャートである。
【図４】図１の第３の動作フローチャートである。
【図５】図１の第４の動作のフローチャートである。
【図６】第２の実施例の構成ブロック図である。
【図７】図６の第１の動作フローチャートである。
【図８】図６の第２の動作フローチャートである。
【図１】
0003647050.tif 000002
【図２】
0003647050.tif 000003
【図３】
0003647050.tif 000004
【図４】
0003647050.tif 000005
【図５】
0003647050.tif 000006
【図６】
0003647050.tif 000007
【図７】
0003647050.tif 000008
【図８】
0003647050.tif 000009